(57)【要約】【課題】建物の内部の中間の柱通りに上下階の柱を配置したり、柱通り以外の部分に柱を配置したりするのが自由に選択できる。【解決手段】柱通りにおける柱を配置する部分のモジュールＭと柱通りの側部と柱通りの側部との間の部分のモジュールＰとが別々のモジュールとなったダブルグリッドの建物である。建物の内部の中間の柱通りイに配設したモジュールＭの連結金具２を介して両側にモジュールＰの梁４を配設する。連結金具２の両側面部に設けた梁連結部３をそれぞれ両側の梁４の端面部に固着具１０により連結固着する。連結金具２の上面部に上階の柱５の下端部を連結自在とした上階柱連結部６を設けると共に連結金具２の下面部に下階の柱７の上端部を連結自在とした下階柱連結部８を設け、上階柱連結部６と下階柱連結部８にそれぞれ上階の柱５、下階の柱７を選択的に取付け可能とする。【選択図】        図１
2004238983.tif 000002
【特許請求の範囲】
【請求項１】
柱通りにおける柱を配置する部分のモジュールＭと柱通りの側部と柱通りの側部との間の部分のモジュールＰとが別々のモジュールとなったダブルグリッドの建物において、建物の内部の中間の柱通りに配設したモジュールＭの連結金具を介して両側にモジュールＰの梁を配設し、上記連結金具の両側面部に設けた梁連結部をそれぞれ両側の梁の端面部に固着具により連結固着し、該連結金具の上面部に上階の柱の下端部を連結自在とした上階柱連結部を設けると共に連結金具の下面部に下階の柱の上端部を連結自在とした下階柱連結部を設け、上階柱連結部と下階柱連結部にそれぞれ上階の柱、下階の柱を選択的に取付け可能として成ることを特徴とする建物の構造。
【請求項２】
梁連結部を有する連結金具の両側面部の下部から外側方に向けて梁受け横片を突設し、梁受け横片の上に梁の端部を支持して梁受け横片と梁の下面部とを固着具により固着して成ることを特徴とする請求項１記載の建物の構造。
【発明の詳細な説明】
【０００１】
【発明の属する技術分野】
本発明は、ダブルグリッドの建物において、建物内部における柱の位置を柱通り以外の部分に移動して配設することが可能な建物の構造に関するものである。
【０００２】
【従来の技術】
従来からダブルグリッドの建物が知られている。（例えば、特許文献１参照）
この特許文献１に示されるようなダブルグリッドの建物とは、図１２に示すように、柱を配置する柱通り（図１２においてイ、ロ、ハで示す）の部分と、柱通りの側部と柱通りの側部との間の部分とを別々のモジュールとした建物である。つまり、柱を配置する部分のモジュールをＭとし、柱通りの側部と柱通りの側部との間のモジュールをＰとしたものであり、柱通りの側部と柱通りの側部との間の部分は同一モジュール線（つまり同一モジュールＰで分割した線）で分割してある。
【０００３】
このようなダブルグリッドの建物において、建物内部の中間の柱通りイにおいては、図１２に示すように、下階の柱７を立設し、この下階の柱７の上端部の両面部にそれぞれ両側の梁４の端部をボルトのような固着具により連結しており、また、上階の柱５は上記下階の柱７の上端面部に載設してボルトのような固着具により連結固着していた。
【０００４】
また、図示を省略しているが、上記のようにして立設した建物内部の中間の柱通りイの上階の柱の上端部の両側面部にそれぞれ両側の上階の梁の端部をボルトのような固着具により連結していた。
【０００５】
このように従来にあっては、建物内部の中間の柱通りイに立設した下階の柱７の上端部の両側面部にそれぞれ両側の梁４の端部を固着具により固着し且つ下階の柱７の上端面部に上階の柱５を直接載設して固着し、上階の柱５の上端部の両側にそれぞれ上階の梁４の端部を固着具により固着していたので、建物の中間の柱通りイに配設される下階の柱７、上階の柱５を中間の柱通り以外の位置に移動することができないという問題があり、また、下階の柱７と上階の柱５とをずらして配設することもできなかった。このため、従来にあっては下階の平面プラン、上階の平面プランにおける柱の配置位置に制約があって、平面プランに制約があった。
【０００６】
【特許文献１】
特開平１０−３０６５２９号公報
【０００７】
【発明が解決しようとする課題】
本発明は上記の点に鑑みてなされたものであり、建物の内部の中間の柱通りに柱を配置しなくても梁を連結でき、しかも、建物の内部の中間の柱通りに上下階の柱を配置したり、あるいは柱通り以外の部分に柱を配置したりするのが自由に選択できて、上下階の平面プランの多様化が図れる建物の構造を提供することを課題とするものである。
【０００８】
【課題を解決するための手段】
上記課題を解決するために本発明に係る建物の構造は、柱通りにおける柱を配置する部分のモジュールＭと柱通りの側部と柱通りの側部との間の部分のモジュールＰとが別々のモジュールとなったダブルグリッドの建物において、建物の内部の中間の柱通りイに配設したモジュールＭの連結金具２を介して両側にモジュールＰの梁４を配設し、上記連結金具２の両側面部に設けた梁連結部３をそれぞれ両側の梁４の端面部に固着具１０により連結固着し、該連結金具２の上面部に上階の柱５の下端部を連結自在とした上階柱連結部６を設けると共に連結金具２の下面部に下階の柱７の上端部を連結自在とした下階柱連結部８を設け、上階柱連結部６と下階柱連結部８にそれぞれ上階の柱５、下階の柱７を選択的に取付け可能として成ることを特徴とするものである。このような構成とすることで、従来のように建物の内部の中間の柱通りイに下階の柱７が配設してなくても柱通りに配設したモジュールＭの連結金具２により両側に配設するモジュールＰの梁４を連結できるものであり、また、建物の内部の中間の柱通りイに配設した連結金具２に上階柱連結部６と下階柱連結部８とを設けてあるので、上階柱連結部６と下階柱連結部８にそれぞれ上階の柱５、下階の柱７を選択的に取付けることで、建物の内部の中間の柱通りイに下階の柱７、上階の柱５を配設するプラン、上階の柱５のみを建物の内部の中間の柱通りイに配設して下階の柱７は柱通りから側方にずらして配設するプラン、あるいは、下階の柱７のみを建物の内部の中間の柱通りイに配設して上階の柱５は柱通りから側方にずらして配設するプラン、あるいは下階の柱７、上階の柱５とも建物の内部の中間の柱通りイから側方にずらして配置するプラン等が自由に選択できるものである。
【０００９】
また、梁連結部３を有する連結金具２の両側面部の下部から外側方に向けて梁受け横片９を突設し、梁受け横片９の上に梁４の端部を支持して梁受け横片９と梁４の下面部とを固着具１０により固着することが好ましい。このような構成とすることで、建物の内部の中間の柱通りイに配設した連結金具２により両側の梁４を連結するに当たって、梁４の側端面部を連結金具２の梁連結部３に固着具１０により連結固着するだけでなく、梁４の端部を梁受け横片９で支持して固着具１０により梁受け横片９と梁４の下面部と固着連結できて、連結金具２による隣接する梁４同士の連結が強固に行えるものである。
【００１０】
【発明の実施の形態】
以下、本発明を添付図面に示す実施形態に基づいて説明する。
【００１１】
本発明は、柱通りにおける柱を配置する部分のモジュールＭと柱通りの側部と柱通りの側部との間の部分のモジュールＰとが別々のモジュールとなったダブルグリッドの建物である。
【００１２】
該ダブルグリッドの建物の内部の中間の柱通りイの側部と両側の柱通りロ、ハの側部との間にはそれぞれ梁４が配設され、この梁４同士が中間の柱通りイに配設した連結金具２を介して連結してある。
【００１３】
図１に示すように中間の柱通りイの側部と両側の柱通りロ、ハの側部との間に配設される梁４のモジュールはＰとなっており、梁４の長さはＮ×Ｐ（添付図面においてはＮは２以上の整数）となっている。一方、中間の柱通りイに配設される連結金具２のモジュールはＭとなっている。
【００１４】
梁４は金属により形成してあって断面Ｈ字状をしており、長手方向の両端部には長手方向と直交する端板１７が固着してあり、端板１７に孔１８が形成してある。また、上記のＮ×Ｐの長さの梁４の上下のフランジ４ａ、４ｂの長手方向には長手方向の端部からＮ１×Ｐ−Ｍ／２の位置（Ｎ１はＮよりも小さい１以上の整数）に上階の柱５や下階の柱７を選択的に取付けることが可能なように柱取付け部１９が設けてあり、この柱取付け部１９は孔により形成してある。ここで、柱取付け部１９となる孔の位置は梁４の上下のフランジ４ａ、４ｂの長手方向の端部からＮ１×Ｐ−Ｍ／２の位置である必要はなく、要は上下のフランジ４ａ、４ｂの長手方向の端部からＮ１×Ｐ−Ｍ／２に上階の柱５や下階の柱７が取付けることを可能とするように長手方向の端部からＮ１×Ｐ−Ｍ／２離れた付近に孔が設けてあればよい。また、梁４の下のフランジ４ｂの中間の柱通りイ側の端部には連結金具２の梁受け横片９の連結部１５と連結するための孔２２が設けてある。
【００１５】
中間の柱通りイに配設される連結金具２は、内部が中空となり前面側が開口した箱形をしたもので、箱形の連結金具２の両側片１２にナット部や孔等の梁連結部３を設けてあり、箱形の連結金具２の上横片１３にナット部や孔等の上階連結部６を設けてあり、箱形の連結金具２の下横片１４にナット部や孔等の下階連結部８を設けてあり、更に、両側片１２の下部から外側方に向けて梁受け横片９が一体に突設してあり、梁受け横片９にはナット部や孔等の連結部１５が設けてある。また、側片１２の下端部に固着した補強片１６の上端部を梁受け横片９の下面部に固着してあって、該補強片１６により梁受け横片９を補強している。
【００１６】
建物の内部の中間の柱通りイに配設した連結金具２の両側面部に設けた梁連結部３をそれぞれ両側の梁４の端面部の端板１７を当接して端板１７の孔１８と梁連結部３とを対向させてボルトのような固着具１０により固着してある。また、この場合、梁４の端部のフランジの下面を梁受け横片９で支持して梁４の下のフランジ４ｂの端部の孔２２と連結部１５とを対向させてボルトのような固着具１０により固着してある。このように、梁４は端面の端板１７部分と下のフランジ４ｂの端部とをそれぞれ連結金具２の側片１２と梁受け横片９とに固着することで梁４の連結固着が強固に行えるものである。
【００１７】
添付図面に示す実施例では両側の柱通りロ、ハには上下階の壁パネル２０が壁パネル連結金物２１により連結してあり、この壁パネル連結金物２１に上記連結金具２を介して一直線状に連結した両梁４の他端部を固着具１０により連結固着してある。
【００１８】
そして、本発明においては建物の内部の中間の柱通りイに配置した両側の梁４同士を連結する連結金具２の上面部に上階の柱５の下端部を連結自在とした上階柱連結部６を設けると共に連結金具２の下面部に下階の柱７の上端部を連結自在とした下階柱連結部８を設けてあるので、上階柱連結部６と下階柱連結部８にそれぞれ上階の柱５、下階の柱７を選択的に取付け可能であり、このため、下階の平面プラン、上階の平面プランに応じて、図１、図２に示すように建物の内部の中間の柱通りイに下階の柱７、上階の柱５を配設するプラン、図３乃至図５に示すように上階の柱５のみを建物の内部の中間の柱通りイに配設して下階の柱７は中間の柱通りイの中心から側方にＮ１×Ｐ（図ではＮ１＝１の例が示してある）だけずれた位置ニに配設するプラン、あるいは、図６乃至図８に示すように下階の柱７のみを建物の内部の中間の柱通りイに配設して上階の柱５は中間の柱通りイの中心から側方にＮ１×Ｐだけずれた位置ニに配設するプラン、あるいは図９乃至図１１に示すように下階の柱７、上階の柱５とも建物の内部の中間の柱通りイの中心から側方にＮ１×Ｐだけずれた位置ニに配設するプラン等が自由に選択できて、１階の平面プラン、２階の平面プランの多様化が図れるものである。
【００１９】
ここで、図２、図４のように上階の柱５を中間の柱通りイに配設する場合には連結金具２の上面に上階の柱５の下端を載置して上階の柱５の下端面に形成した孔２５を上階柱連結部６と対向させ、ボルトのような固着具１０により上階の柱５を連結金具２に連結固着するものである。
【００２０】
また、図２、図７のように下階の柱７を中間の柱通りイに配設する場合には連結金具２の下面を下階の柱７の上端に当接して下階の柱７の上端面に形成した孔２６を上階柱連結部６と対向させ、ボルトのような固着具１０により上階の柱５を連結金具２に連結固着するものである。
【００２１】
また、図８、図１１のように上階の柱５を中間の柱方向から側方に移動して梁４の上フランジ４ａに取付ける場合は、中間の柱通りイの中心からＮ１×Ｐだけずれた位置であるニ位置に移動するものであり、前述のように上記のＮ×Ｐの長さの梁４の上下のフランジ４ａ、４ｂの長手方向には長手方向の端部からＮ１×Ｐ−Ｍ／２離れた位置（Ｎ１は１以上の整数）に上階の柱５や下階の柱７を選択的に取付けることが可能なように柱取付け部１９となる孔が設けてあるので、梁４の上のフランジ４ａの柱取付け部１９に上階の柱５の下端部をボルトのような固着具１０により連結固着することで中間の柱通りイの中心からＮ１×Ｐだけずれた位置である二位置に上階の柱５を立設して梁４に連結固着することができるものである。
【００２２】
また、図５、図１１のように下階の柱７を中間の柱方向から側方に移動して梁１の上フランジ４ａに取付ける場合は、中間の柱通りイの中心からＮ１×Ｐだけずれた位置であるニ位置に移動するものであり、梁４の下のフランジ４ｂの柱取付け部１９に下階の柱７の上端部をボルトのような固着具１０により連結固着することで柱通りの中心からＮ１×Ｐだけずれた位置であるニ位置において下階の柱７を梁４に連結固着することができるものである。なお、添付図面に示す実施形態においては連結金具２の下部に設けた下階柱連結部８を梁４の下面よりも下方に位置するようにしてあるので、下階の柱７を上記のように位置である二位置に移動して梁４の下面に連結する場合には図５、図１１のように下階の柱７の上端部に連結補助金具２９を取付けて連結補助金具２９を梁４にボルトのような固着具１０により固着するものである。
【００２３】
このように上階の柱５や下階の柱７を中間の柱通りイからずれた位置に移動しても、上記のように中間の柱通りイの中心からＮ１×Ｐだけずれた位置であるニ位置に移動するので、移動した柱の配置位置である位置二の両側部と両側の柱通りロ、ハとの間は図３、図６、図９に示すようにモジュールＰの整数倍の長さ（つまりＮ×Ｐ）となって、このように中間の柱通りイからニ位置に上階の柱５や下階の柱７を移動させても、ダブルグリッドの建物を形成する際に使用する部材としてモジュールＰの部材をそのまま使用できるものである。
【００２４】
【発明の効果】
上記のように本発明の請求項１記載の発明にあっては、ダブルグリッドの建物において、建物の内部の中間の柱通りに配設したモジュールＭの連結金具を介して両側にモジュールＰの梁を配設し、上記連結金具の両側面部に設けた梁連結部をそれぞれ両側の梁の端面部に固着具により連結固着し、該連結金具の上面部に上階の柱の下端部を連結自在とした上階柱連結部を設けると共に連結金具の下面部に下階の柱の上端部を連結自在とした下階柱連結部を設け、上階柱連結部と下階柱連結部にそれぞれ上階の柱、下階の柱を選択的に取付け可能としてあるので、従来のように建物の内部の中間の柱通りに下階の柱が配設してなくても柱通りに配設したモジュールＭの連結金具により両側に配設するモジュールＰの梁を連結できるものであり、また、建物の内部の中間の柱通りに配設した連結金具に上階柱連結部と下階柱連結部とを設けてあるので、上階柱連結部と下階柱連結部にそれぞれ上階の柱、下階の柱を選択的に取付けることで、建物の内部の中間の柱通りに下階の柱、上階の柱を配設するプラン、上階の柱のみを建物の内部の中間の柱通りに配設して下階の柱は柱通りから側方にずらして配設するプラン、あるいは、下階の柱のみを建物の内部の中間の柱通りに配設して上階の柱は柱通りから側方にずらして配設するプラン、あるいは下階の柱、上階の柱とも建物の内部の中間の柱通りから側方にずらして配置するプラン等が自由に選択できて、上階の平面プラン、下階の平面プランの多様化が図れるものである。
【００２５】
また、請求項２記載の発明にあっては、上記請求項１記載の発明の効果に加えて、梁連結部を有する連結金具の両側面部の下部から外側方に向けて梁受け横片を突設し、梁受け横片の上に梁の端部を支持して梁受け横片と梁の下面部とを固着具により固着してあるので、建物の内部の中間の柱通りに配設した連結金具により両側の梁を連結するに当たって、梁の側端面部を連結金具の梁連結部に固着具により連結固着するだけでなく、梁の端部を梁受け横片で支持して固着具により梁受け横片と梁の下面部と固着連結できて、連結金具による隣接する梁同士の連結が強固に行えるものである。
【図面の簡単な説明】
【図１】本発明の一実施形態の正面図である。
【図２】図１のＡ部分の拡大図である。
【図３】本発明の柱位置を変えた例の正面図である。
【図４】同上の図３のＢ部分の拡大図である。
【図５】同上の図３のＣ部分の拡大図である。
【図６】本発明の更に柱位置を変えた例の正面図である。
【図７】同上の図６のＤ部分の拡大図である。
【図８】同上の図６のＥ部分の拡大図である。
【図９】本発明の更に柱位置を変えた例の正面図である。
【図１０】同上の図９のＦ部分の拡大図である。
【図１１】同上の図９のＧ部分の拡大図である。
【図１２】従来例の正面図である。
【符号の説明】
２  連結金具
３  梁連結部
４  梁
５  上階の柱
６  上階柱連結部
７  下階の柱
８  下階柱連結部
９  梁受け横片
１０  固着具
【図１】
2004238983.tif 000003
【図２】
2004238983.tif 000004
【図３】
2004238983.tif 000005
【図４】
2004238983.tif 000006
【図５】
2004238983.tif 000007
【図６】
2004238983.tif 000008
【図７】
2004238983.tif 000009
【図８】
2004238983.tif 000010
【図９】
2004238983.tif 000011
【図１０】
2004238983.tif 000012
【図１１】
2004238983.tif 000013
【図１２】
2004238983.tif 000014